(57)【要約】  電子機器（２）は、機器本体（４）と、機器本体（４）を支持するスタンド（６）とを備える。スタンド（６）は、ベース（１８）と、ベース（１８）の下面（１８ａ）に対向して配置され、載置面（１６ａ）との間の隙間（６４）に発生した負圧により載置面（１６ａ）に吸着する吸着面（５４ａ）を有し、隙間（６４）と連通する通気孔（６０）が形成された吸着部材（２４）と、ベース（１８）と吸着部材（２４）との間に配置され、ベース（１８）の下面（１８ａ）に沿って、隙間（６４）へ空気を流入させるために通気孔（６０）を開放する開位置と、隙間（６４）への空気の流入を遮断するために通気孔（６０）を閉塞する閉位置との間をスライドするスライド弁（３０）とを有する。スライド弁（３０）が閉位置にある状態で、スタンド（６）に載置面（１６ａ）から離れる方向の外力が加えられた際に、吸着部材（２４）は、載置面（１６ａ）から離れる方向に弾性変形することにより隙間（６４）に負圧を発生させる。
2021014664.tif 000002
【特許請求の範囲】
【請求項１】
載置面に載置される電子機器であって、
機器本体と、
前記載置面に載置され、前記機器本体を支持するスタンドと、を備え、
前記スタンドは、
前記載置面に対向する下面を有するベースと、
前記ベースの前記下面に対向して配置された弾性を有する吸着部材であって、前記載置面との間の隙間に発生した負圧により前記載置面に吸着する吸着面を有し、前記隙間と連通する通気孔が形成された吸着部材と、
前記ベースと前記吸着部材との間に配置され、前記ベースの前記下面に沿って、前記隙間へ空気を流入させるために前記通気孔を開放する開位置と、前記隙間への空気の流入を遮断するために前記通気孔を閉塞する閉位置との間をスライドするスライド弁と、を有し、
前記スライド弁が前記閉位置にある状態で、前記スタンドに前記載置面から離れる方向の外力が加えられた際に、前記吸着部材は、前記載置面から離れる方向に弾性変形することにより前記隙間に負圧を発生させる
電子機器。
【請求項２】
前記スタンドは、さらに、前記スライド弁と前記吸着部材との間に配置され、滑り性を有する滑りシートを有し、
前記スライド弁は、前記滑りシート上を摺動しながら、前記開位置と前記閉位置との間をスライドする
請求項１に記載の電子機器。
【請求項３】
前記スライド弁は、
前記電子機器の奥行き方向に沿って、前記開位置と前記閉位置との間をスライドする弁本体と、
前記弁本体の前記奥行き方向の奥側における端部に設けられ、前記弁本体をスライド操作するための取っ手と、を有する
請求項１又は２に記載の電子機器。
【請求項４】
前記ベースは、当該ベースの前記奥行き方向の奥側における端部に形成され、前記取っ手を前記奥行き方向に移動可能に挿通する挿通孔を有する
請求項３に記載の電子機器。
【請求項５】
前記弁本体が前記開位置及び前記閉位置のいずれかにある際に、前記弁本体の前記奥行き方向の手前側における端部は、前記ベースの前記奥行き方向の手前側における端部に露出するように配置される
請求項３又は４に記載の電子機器。
【請求項６】
前記弁本体は開口部を有し、
前記開口部は、
前記弁本体が前記開位置にある際には、前記通気孔と連通し、
前記弁本体が前記閉位置にある際には、前記通気孔と連通しない
請求項３〜５のいずれか１項に記載の電子機器。
【請求項７】
前記ベースの前記下面には、前記弁本体が前記開位置にある状態で、前記開口部及び前記通気孔を通して前記隙間へ流入する空気の流路となる凹部が形成されている
請求項６に記載の電子機器。
【請求項８】
前記スタンドは、さらに、前記スライド弁のスライド操作に節度感を付与するための係合機構を有する
請求項３〜７のいずれか１項に記載の電子機器。
【請求項９】
前記電子機器は、画像表示装置であり、
前記機器本体は、画像を表示するための表示パネルを含む
請求項１〜８のいずれか１項に記載の電子機器。
【請求項１０】
載置面に載置され、機器本体を支持するためのスタンドであって、
前記載置面に対向する下面を有するベースと、
前記ベースの前記下面に対向して配置された弾性を有する吸着部材であって、前記載置面との間の隙間に発生した負圧により前記載置面に吸着する吸着面を有し、前記隙間と連通する通気孔が形成された吸着部材と、
前記ベースと前記吸着部材との間に配置され、前記ベースの前記下面に沿って、前記隙間へ空気を流入させるために前記通気孔を開放する開位置と、前記隙間への空気の流入を遮断するために前記通気孔を閉塞する閉位置との間をスライドするスライド弁と、を備え、
前記スライド弁が前記閉位置にある状態で、前記スタンドに前記載置面から離れる方向の外力が加えられた際に、前記吸着部材は、前記載置面から離れる方向に弾性変形することにより前記隙間に負圧を発生させる
スタンド。
【発明の詳細な説明】
【技術分野】
【０００１】
本開示は、スタンドを備えた電子機器及びスタンドに関する。
【背景技術】
【０００２】
載置面への吸着を利用したスタンドが知られている（例えば、特許文献１参照）。従来のスタンドは、吸盤と、吸盤の載置面に対する吸着及び解除を行う吸着機構とを備えている。吸着機構は、吸盤から鉛直上方に大きく突出している。
【先行技術文献】
【特許文献】
【０００３】
【特許文献１】特開２００８−１５２２４２号公報
【発明の概要】
【発明が解決しようとする課題】
【０００４】
本開示は、スタンドの薄型化を図ることができる電子機器及びスタンドを提供する。
【課題を解決するための手段】
【０００５】
本開示における電子機器は、載置面に載置される電子機器であって、機器本体と、載置面に載置され、機器本体を支持するスタンドと、を備え、スタンドは、載置面に対向する下面を有するベースと、ベースの下面に対向して配置された弾性を有する吸着部材であって、載置面との間の隙間に発生した負圧により載置面に吸着する吸着面を有し、隙間と連通する通気孔が形成された吸着部材と、ベースと吸着部材との間に配置され、ベースの下面に沿って、隙間へ空気を流入させるために通気孔を開放する開位置と、隙間への空気の流入を遮断するために通気孔を閉塞する閉位置との間をスライドするスライド弁と、を有し、スライド弁が閉位置にある状態で、スタンドに載置面から離れる方向の外力が加えられた際に、吸着部材は、載置面から離れる方向に弾性変形することにより隙間に負圧を発生させる。
【発明の効果】
【０００６】
本開示における電子機器によれば、スタンドの薄型化を図ることができる。
【図面の簡単な説明】
【０００７】
【図１】図１は、実施の形態に係る電子機器を示す斜視図である。
【図２】図２は、実施の形態に係るスタンドを示す斜視図である。
【図３】図３は、図２とは異なる角度から見た状態での、実施の形態に係るスタンドを示す斜視図である。
【図４】図４は、実施の形態に係るスタンドを分解して示す分解斜視図である。
【図５Ａ】図５Ａは、スライド弁が閉位置にある状態での、図２のＶ−Ｖ線による実施の形態に係るスタンドの断面図である。
【図５Ｂ】図５Ｂは、スライド弁が開位置にある状態での、図２のＶ−Ｖ線による実施の形態に係るスタンドの断面図である。
【図６Ａ】図６Ａは、スライド弁が閉位置にあり、且つ、ベース及びスタンドネックを省略した状態での、実施の形態に係るスタンドを示す平面図である。
【図６Ｂ】図６Ｂは、スライド弁が開位置にあり、且つ、ベース及びスタンドネックを省略した状態での、実施の形態に係るスタンドを示す平面図である。
【図７】図７は、図５Ｂのスタンドの一部を拡大して示す断面斜視図である。
【図８Ａ】図８Ａは、スライド弁が閉位置にある状態での、実施の形態に係るスタンドの動作を説明するための図である。
【図８Ｂ】図８Ｂは、スライド弁が開位置にある状態での、実施の形態に係るスタンドの動作を説明するための図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面及び以下の説明を提供するのであって、これらによって請求の範囲に記載の主題を限定することを意図するものではない。
【００１０】
（実施の形態）
以下、図１〜図８Ｂを参照しながら、実施の形態について説明する。図１〜図８Ｂにおいて、電子機器２の幅方向をＸ軸方向とし、電子機器２の奥行き方向をＹ軸方向とし、電子機器２の高さ方向をＺ軸方向とする。なお、以下の説明において、電子機器２の奥行き方向を、単に「奥行き方向」と呼ぶ場合がある。
【００１１】
［１．電子機器の構成］
まず、図１を参照しながら、実施の形態に係る電子機器２の構成について説明する。図１は、実施の形態に係る電子機器２を示す斜視図である。
【００１２】
図１に示すように、電子機器２は、例えば液晶テレビジョン受像機等の画像表示装置である。電子機器２は、機器本体４と、スタンド６とを備えている。
【００１３】
機器本体４は、パネル状の表示ユニットである。機器本体４は、表示パネル８と、筐体１０とを有している。
【００１４】
表示パネル８は、筐体１０の内部に配置されている。表示パネル８の正面には、画像を表示するための表示面８ａが形成されている。
【００１５】
筐体１０は、フロントキャビネット１２と、リアキャビネット１４とを有している。フロントキャビネット１２は、矩形状の枠状に形成され、表示パネル８の外周部を覆うように配置されている。リアキャビネット１４は、表示パネル８の背面（表示面８ａと反対側の面）全体を覆うように配置され、フロントキャビネット１２と連結されている。
【００１６】
なお、本実施の形態では、奥行き方向とは、機器本体４の厚み方向（Ｙ軸方向）を意味するものとする。また、奥行き方向の手前側とは、表示パネル８側（Ｙ軸のマイナス側）を意味し、奥行き方向の奥側とは、リアキャビネット１４側（Ｙ軸のプラス側）を意味するものとする。
【００１７】
スタンド６は、機器本体４を下方から支持するためのものであり、リアキャビネット１４に取り付けられている。スタンド６は、例えば載置台１６（いわゆる、テレビ台）の上面に形成された載置面１６ａに載置される。なお、載置面１６ａは、例えばＸＹ平面（水平面）に略平行な平面である。以下、スタンド６の構成について詳細に説明する。
【００１８】
［２．スタンドの構成］
［２−１．スタンドの全体構成］
次に、図２〜図４を参照しながら、実施の形態に係るスタンド６の全体構成について説明する。図２は、実施の形態に係るスタンド６を示す斜視図である。図３は、図２とは異なる角度から見た状態での、実施の形態に係るスタンド６を示す斜視図である。図４は、実施の形態に係るスタンド６を分解して示す分解斜視図である。
【００１９】
図２〜図４に示すように、スタンド６は、ベース１８と、スタンドネック２０と、保持カバー２２と、吸着部材２４と、ホルダー２６と、滑りシート２８と、スライド弁３０とを有している。以下、スタンド６の各構成要素について説明する。
【００２０】
［２−２．ベース］
図２、図４〜図５Ｂを参照しながら、ベース１８について説明する。図５Ａは、スライド弁３０が閉位置にある状態での、図２のＶ−Ｖ線による実施の形態に係るスタンド６の断面図である。図５Ｂは、スライド弁３０が開位置にある状態での、図２のＶ−Ｖ線による実施の形態に係るスタンド６の断面図である。
【００２１】
図２、図４〜図５Ｂに示すように、ベース１８は、載置面１６ａ（図１参照）に載置される基台であり、ＸＹ平面視で例えば円形状の金属プレートで形成されている。
【００２２】
ベース１８の奥行き方向の奥側における端部１８ｃには、挿通孔３２が形成されている。すなわち、挿通孔３２は、ベース１８の径中心よりも、奥行き方向の奥側に偏った位置に配置されている。挿通孔３２には、スライド弁３０の取っ手７４（後述する）が奥行き方向に移動可能に挿通されている。
【００２３】
ベース１８の下面１８ａには、複数のネジ（図３及び図４参照）をそれぞれ螺着するための複数のネジ孔（図示せず）が形成されている。なお、ベース１８の下面１８ａは、載置面１６ａに対向する側の面である。また、図５Ａ、図５Ｂ及び後述する図７に示すように、ベース１８の下面１８ａには、凹部３４（後述する）が形成されている。
【００２４】
［２−３．スタンドネック］
図２、図４〜図５Ｂを参照しながら、スタンドネック２０について説明する。スタンドネック２０は、機器本体４（図１参照）を支持するための部材である。
【００２５】
図２、図４〜図５Ｂに示すように、スタンドネック２０は、支柱部３６と、ブラケット３８とを有している。支柱部３６は、例えば円柱状に形成され、ベース１８の上面１８ｂ（下面１８ａと反対側の面）に立設されている。支柱部３６は、ベース１８の上面１８ｂにおいて、ベース１８の径中心と挿通孔３２との間に配置されている。ブラケット３８は、支柱部３６の上端部に配置されており、機器本体４のリアキャビネット１４に取り付けられている。
【００２６】
なお、スタンドネック２０は、ベース１８に対する機器本体４の表示面８ａの向きを所定の角度範囲で調節するためのスイーベル機能を有していてもよい。この場合、ブラケット３８は、支柱部３６に対して、支柱部３６の中心軸周りに所定の角度範囲で回動するように構成される。
【００２７】
［２−４．保持カバー］
図３〜図６Ｂを参照しながら、保持カバー２２について説明する。図６Ａは、スライド弁３０が閉位置にあり、且つ、ベース１８及びスタンドネック２０を省略した状態での、実施の形態に係るスタンド６を示す平面図である。図６Ｂは、スライド弁３０が開位置にあり、且つ、ベース１８及びスタンドネック２０を省略した状態での、実施の形態に係るスタンド６を示す平面図である。
【００２８】
保持カバー２２は、スライド弁３０を奥行き方向に沿ってスライド可能に保持するための部材であり、例えば樹脂で形成されている。図４〜図５Ｂに示すように、保持カバー２２は、ＸＹ平面視で例えば円環状に形成されており、ベース１８の下面１８ａに対向するように配置されている。保持カバー２２の中央部には、吸着部材２４をベース１８の下面１８ａに取り付けるための円形状の開口部４０が形成されている。
【００２９】
図３、図５Ａ及び図５Ｂに示すように、保持カバー２２の下面２２ａには、滑り止め用の複数のゴム足４２が取り付けられている。なお、保持カバー２２の下面２２ａは、載置面１６ａに対向する側の面である。
【００３０】
図４、図６Ａ及び図６Ｂに示すように、保持カバー２２の上面２２ｂ（下面２２ａと反対側の面）には、奥行き方向に沿って延びる溝部４４が形成されている。溝部４４は、保持カバー２２の内周縁から外周縁まで延びている。溝部４４には、スライド弁３０が溝部４４の長手方向（Ｙ軸方向）に沿ってスライド可能に配置されている。
【００３１】
また、図５Ａ及び図５Ｂに示すように、溝部４４には、スライド弁３０のスライド範囲を規制するための一対のストッパ４６が形成されている。一対のストッパ４６は、溝部４４の長手方向に沿って間隔を置いて配置されている。
【００３２】
さらに、図６Ａ及び図６Ｂに示すように、溝部４４には、一対の突部４８が形成されている。一対の突部４８は、溝部４４の短手方向（Ｘ軸方向）において対向するように配置されている。一対の突部４８は、スライド弁３０の一対の係合部７６（後述する）とともに、スライド弁３０のスライド操作に節度感（操作感）を付与するための係合機構５０を構成する。
【００３３】
［２−５．吸着部材］
図３〜図７を参照しながら、吸着部材２４について説明する。図７は、図５Ｂのスタンド６の一部を拡大して示す断面斜視図である。
【００３４】
吸着部材２４は、載置面１６ａに吸着することにより、電子機器２（図１参照）の転倒を抑制するための部材である。吸着部材２４は、例えば厚さ１ｍｍ〜数ｍｍ程度のシート状に形成され、例えばシリコン、ウレタン又はゴム等の弾性を有する材料で形成されている。図４〜図５Ｂに示すように、吸着部材２４は、取付部５２と、吸着部５４とを有している。
【００３５】
取付部５２は、ＸＹ平面視で例えば円形状に形成されている。図５Ａ〜図６Ｂに示すように、取付部５２は、保持カバー２２の開口部４０に挿通され、ベース１８の下面１８ａに対向するように配置されている。具体的には、取付部５２は、ベース１８の下面１８ａとホルダー２６との間に挟み込まれることにより支持されている。なお、図５Ｂに示すように、取付部５２の外周縁と保持カバー２２の開口部４０の外周縁との間には、スライド弁３０の開口部７２（後述する）と連通される空気流入口６２が形成されている。
【００３６】
図４、図６Ａ及び図６Ｂに示すように、取付部５２には、複数のネジ５６をそれぞれ挿通するための複数の孔５８が形成されている。複数の孔５８は、ベース１８の下面１８ａに形成された複数のネジ孔に対応して、取付部５２の周方向に間隔を置いて配置されている。また、取付部５２には、取付部５２の厚み方向（Ｚ軸方向）に貫通する通気孔６０が形成されている。通気孔６０は、ＸＹ平面視で例えば円形状に形成されている。図７に示すように、通気孔６０は、ベース１８の下面１８ａに形成された凹部３４に対向するように配置されている。
【００３７】
図４、図６Ａ及び図６Ｂに示すように、取付部５２の上面（ベース１８の下面１８ａに対向する側の面）には、奥行き方向に沿って延びる溝部６３が形成されている。溝部６３は、保持カバー２２の溝部４４と連続して延びている。溝部６３には、スライド弁３０が溝部６３の長手方向（Ｙ軸方向）に沿ってスライド可能に配置されている。また、溝部６３には、上述した通気孔６０が配置されている。
【００３８】
図４〜図５Ｂに示すように、吸着部５４は、取付部５２の外周縁から径方向外側にスカート状（傘状）に拡がるように延びている。図３に示すように、吸着部５４の下面には、ＸＹ平面視で例えば円環状の吸着面５４ａが形成されている。
【００３９】
なお、後述する図８Ａに示すように、ベース１８を載置面１６ａに載置した際には、吸着部５４の吸着面５４ａの外周部は載置面１６ａに吸着（密着）し、ホルダー２６の下面と載置面１６ａとの間、及び、吸着部５４の吸着面５４ａの内周部と載置面１６ａとの間には隙間６４が形成される。吸着部材２４の通気孔６０は、ホルダー２６の通気孔６８（後述する）を介して隙間６４と連通している。
【００４０】
［２−６．ホルダー］
図３〜図５Ｂを参照しながら、ホルダー２６について説明する。ホルダー２６は、吸着部材２４をベース１８の下面１８ａに取り付けるための部材である。
【００４１】
図３及び図４に示すように、ホルダー２６は、ＸＹ平面視で例えば円形状に形成されている。ホルダー２６には、複数のネジ５６をそれぞれ挿通するための複数の孔６６が形成されている。複数の孔６６は、ベース１８の下面１８ａに形成された複数のネジ孔に対応して、ホルダー２６の周方向に間隔を置いて配置されている。
【００４２】
図３〜図５Ｂに示すように、ホルダー２６には、吸着部材２４の取付部５２の通気孔６０と連通する通気孔６８が形成されている。通気孔６８は、ＸＹ平面視で例えば円形状に形成され、その直径は、取付部５２の通気孔６０の直径よりも大きい。なお、通気孔６８の直径は、取付部５２の通気孔６０の直径と同一でもよい。また、通気孔６８は、取付部５２の通気孔６０に向けて直径が拡大又は縮小するテーパ状に形成されていてもよい。
【００４３】
ホルダー２６が吸着部材２４の取付部５２の下面に接触した状態で、複数のネジ５６はそれぞれ、ホルダー２６の複数の孔６６及び吸着部材２４の取付部５２の複数の孔５８を通して、ベース１８の複数のネジ孔に螺着される。これにより、吸着部材２４の取付部５２は、ホルダー２６によってベース１８の下面１８ａに取り付けられる。
【００４４】
［２−７．滑りシート］
図４〜図５Ｂを参照しながら、滑りシート２８について説明する。滑りシート２８は、スライド弁３０の吸着部材２４に対する滑りを良くするためのものである。
【００４５】
滑りシート２８は、例えば厚さ１ｍｍ以下の長尺状のシートであり、例えばポリエチレンテレフタレート等の滑り性を有する材料で形成されている。図４に示すように、滑りシート２８には、滑りシート２８の長手方向（Ｙ軸方向）に延びる開口部７０が形成されている。
【００４６】
図５Ａ及び図５Ｂに示すように、滑りシート２８は、吸着部材２４の取付部５２の溝部６３及び保持カバー２２の溝部４４に取り付けられ、スライド弁３０と吸着部材２４との間に配置されている。これにより、スライド弁３０は、滑りシート２８によって少なくとも吸着部材２４の取付部５２と接触しないように配置されている。滑りシート２８の開口部７０は、吸着部材２４の通気孔６０及び空気流入口６２と連通されている。
【００４７】
なお、吸着部材２４の取付部５２の通気孔６０の周縁部には、円環状の突起部（図示せず）が形成されている。この突起部は、滑りシート２８の開口部７０を通してスライド弁３０の下面（吸着部材２４に対向する側の面）を押圧している。これにより、スライド弁３０は、突起部を押圧した状態で、後述する閉位置と開位置との間をスライドする。その結果、スライド弁３０が閉位置にある際には、吸着部材２４の通気孔６０を密閉することができる。また、スライド弁３０が開位置から閉位置にスライドする際には、スライド弁３０は、突起部に乗り上げることなくスムーズにスライドすることができる。
【００４８】
［２−８．スライド弁］
図２〜図７を参照しながら、スライド弁３０について説明する。スライド弁３０は、隙間６４（後述する図８Ａ及び図８Ｂ参照）への空気の流入及び遮断を切り替えるための切替弁である。
【００４９】
図５Ａ及び図５Ｂに示すように、スライド弁３０は、例えば樹脂で形成され、ベース１８と吸着部材２４との間に配置されている。図４、図６Ａ及び図６Ｂに示すように、スライド弁３０は、弁本体７３と、取っ手７４とを有している。
【００５０】
弁本体７３は、例えば厚さ１ｍｍ〜２ｍｍ程度の長尺状の薄板状に構成されている。弁本体７３は、保持カバー２２の溝部４４に配置されるとともに、吸着部材２４の取付部５２の溝部６３に滑りシート２８を介して配置されている。
【００５１】
弁本体７３は、ベース１８の下面１８ａに沿って、且つ、奥行き方向に沿って、滑りシート２８上を摺動しながら閉位置と開位置との間をスライドする。図５Ａ及び図６Ａに示すように、閉位置は、隙間６４（後述する図８Ａ及び図８Ｂ参照）への空気の流入を遮断するために、弁本体７３が吸着部材２４の通気孔６０を閉塞する位置である。図５Ｂ、図６Ｂ及び図７に示すように、開位置は、隙間６４へ空気を流入させるために、弁本体７３が吸着部材２４の通気孔６０を開放する位置である。
【００５２】
弁本体７３には、弁本体７３の長手方向（Ｙ軸方向）に延びる開口部７２が形成されている。図５Ｂ、図６Ｂ及び図７に示すように、弁本体７３が開位置にある際には、開口部７２は、ＸＹ平面視で吸着部材２４の通気孔６０と重なるように配置されることにより、吸着部材２４の通気孔６０と連通する。図５Ａ及び図６Ａに示すように、弁本体７３が閉位置にある際には、開口部７２は、ＸＹ平面視で吸着部材２４の通気孔６０と重ならないように配置されることにより、吸着部材２４の通気孔６０と連通しない。
【００５３】
また、図２、図３、図５Ａ及び図６Ａに示すように、弁本体７３が閉位置にある際に、弁本体７３の奥行き方向の手前側における端部７３ａは、ベース１８の奥行き方向の手前側における端部１８ｄに露出するように配置される。
【００５４】
図５Ａ及び図５Ｂに示すように、弁本体７３の下面には、ＸＹ平面視で略矩形状の枠状のリブ７８が形成されている。リブ７８は、奥行き方向において保持カバー２２の一対のストッパ４６の間に配置されている。弁本体７３が閉位置から開位置にスライドする際に、弁本体７３のリブ７８が保持カバー２２の一対のストッパ４６の一方に当接することにより、弁本体７３の開位置を超えるスライドが規制される。一方、弁本体７３が開位置から閉位置にスライドする際に、弁本体７３のリブ７８が保持カバー２２の一対のストッパ４６の他方に当接することにより、弁本体７３の閉位置を超えるスライドが規制される。これにより、弁本体７３のスライド範囲が閉位置と開位置との間に規制される。
【００５５】
図６Ａ及び図６Ｂに示すように、弁本体７３の短手方向（Ｘ軸方向）における両端部にはそれぞれ、一対の係合部７６が形成されている。弁本体７３が開位置から閉位置にスライドした際には、一対の係合部７６はそれぞれ、保持カバー２２の一対の突部４８と係合する。これにより、ユーザは、スライド弁３０の開位置から閉位置へのスライド操作に節度感を感じることができる。弁本体７３が閉位置から開位置にスライドした際には、一対の係合部７６はそれぞれ、弾性的に撓むことにより、保持カバー２２の一対の突部４８との係合を解除する。これにより、ユーザは、スライド弁３０の閉位置から開位置へのスライド操作に節度感を感じることができる。
【００５６】
取っ手７４は、弁本体７３の奥行き方向の奥側における端部７３ｂに設けられ、弁本体７３の上面からベース１８に向けて突出している。取っ手７４は、ベース１８の挿通孔３２に、奥行き方向に移動可能に挿通されている。すなわち、取っ手７４は、挿通孔３２を通して、ベース１８の上面１８ｂから上方に突出している。ユーザが取っ手７４を図５Ａの矢印Ｐで示す方向に移動させることにより、弁本体７３を閉位置から開位置にスライド操作することができる。また、ユーザが取っ手７４を図５Ｂの矢印Ｑで示す方向に移動させることにより、弁本体７３を開位置から閉位置にスライド操作することができる。
【００５７】
［３．スタンドの動作］
次に、図８Ａ及び図８Ｂを参照しながら、スタンド６の動作について説明する。図８Ａは、スライド弁３０が閉位置にある状態での、実施の形態に係るスタンド６の動作を説明するための図である。図８Ｂは、スライド弁３０が開位置にある状態での、実施の形態に係るスタンド６の動作を説明するための図である。
【００５８】
スライド弁３０が閉位置にあり、且つ、スタンド６に載置面１６ａから離れる方向の外力が加えられていない状態では、吸着部材２４の吸着部５４の吸着面５４ａの外周部は、載置面１６ａに密着している。この時、ホルダー２６の下面と載置面１６ａとの間、及び、吸着部５４の吸着面５４ａの内周部と載置面１６ａとの間には、隙間６４が形成される。すなわち、隙間６４は、載置面１６ａと、ホルダー２６の下面と、吸着部５４の吸着面５４ａと、取付部５２の通気孔６０と、スライド弁３０とで密閉された空間である。このとき、スタンド６の重量により吸着部材２４の吸着部５４が載置面１６ａに押し付けられることにより、隙間６４の体積が最小になる。この状態では、吸着部５４には、元の形状に復帰しようとする弾性復元力が作用するが、吸着部５４が載置面１６ａに押し付けられる力は、当該弾性復元力よりも大きい。そのため、吸着部材２４の吸着部５４は、隙間６４の容積が最小になった状態で維持され、弾性復元力による吸着部５４の変形が発生しない。その結果、隙間６４には負圧が発生せず、吸着部５４の吸着面５４ａの外周部は、載置面１６ａに吸着しない。
【００５９】
なお、吸着部５４は、取付部５２の外周縁から径方向外側にスカート状に拡がるように延びているので、載置面１６ａに凹凸形状が存在する場合であっても、吸着部５４の形状を載置面１６ａの凹凸形状に合わせて変形させることができる。その結果、吸着部５４の吸着面５４ａの外周部を載置面１６ａに密着させることができる。
【００６０】
上述した状態から、図８Ａに示すように、スライド弁３０が閉位置にある状態で、スタンド６に載置面１６ａから離れる方向の外力が加えられた場合について考える。なお、スタンド６にこのような外力が加えられる状況としては、例えば、ａ）地震が発生する、ｂ）ユーザが載置台１６を不用意に動かす、又は、ｃ）ユーザの体が機器本体４にぶつかる等のケースが考えられる。
【００６１】
図８Ａに示す状態では、吸着部材２４の吸着部５４は、載置面１６ａから離れる方向に弾性変形することにより、隙間６４の体積が増大して隙間６４に負圧が発生する。これにより、吸着部５４が大気圧により載置面１６ａに向けて押圧されるので、吸着部５４の吸着面５４ａの外周部が載置面１６ａに吸着する。その結果、電子機器２の転倒を抑制することができる。
【００６２】
次に、ユーザが電子機器２を載置台１６の被吸着面１６ａから持ち上げる場合について考える。図８Ａに示す状態から、図８Ｂに示すように、ユーザは、取っ手７４（図５Ａ及び図５Ｂ参照）を操作することにより、スライド弁３０を閉位置から開位置にスライド操作する。これにより、空気流入口６２を通過した空気は、保持カバー２２の開口部４０、滑りシート２８の開口部７０、スライド弁３０の開口部７２、ベース１８の凹部３４、吸着部材２４の取付部５２の通気孔６０及びホルダー２６の通気孔６８を通過して隙間６４に流入する。この時、ベース１８の凹部３４は、隙間６４へ流入する空気の流路として機能する。そのため、ユーザが電子機器２を持ち上げようとして、スタンド６に載置面１６ａから離れる方向の外力を加えた際に、隙間６４に負圧が発生しない。その結果、ユーザは、電子機器２を載置台１６の被吸着面１６ａから持ち上げることができる。
【００６３】
なお、ユーザが弁本体７３をスライド操作する際に、上述した取っ手７４の操作に代えて、例えば次のようにしてもよい。スライド弁３０が閉位置にある状態で、ユーザが弁本体７３の端部７３ａを奥行き方向の奥側（Ｙ軸方向のプラス側）に押し込むことにより、弁本体７３を閉位置から開位置にスライド操作することができる。一方、スライド弁３０が開位置にある状態で、ユーザが弁本体７３の端部７３ａをフック等で奥行き方向の手前側（Ｙ軸方向のマイナス側）に引き出すことにより、弁本体７３を開位置から閉位置にスライド操作することができる。例えば、取っ手７４を省略して、ユーザが弁本体７３の端部７３ａを用いて弁本体７３をスライド操作するように構成することにより、ベース１８の上面１８ｂから取っ手７４が突出することがなく、スタンド６のデザイン性を高めることができる。
【００６４】
［４．効果］
上述したように、本実施の形態において、電子機器２は、載置面１６ａに載置される電子機器である。電子機器２は、機器本体４と、載置面１６ａに載置され、機器本体４を支持するスタンド６とを備える。スタンド６は、載置面１６ａに対向する下面１８ａを有するベース１８と、ベース１８の下面１８ａに対向して配置された弾性を有する吸着部材２４であって、載置面１６ａとの間の隙間６４に発生した負圧により載置面１６ａに吸着する吸着面５４ａを有し、隙間６４と連通する通気孔６０が形成された吸着部材２４と、ベース１８と吸着部材２４との間に配置され、ベース１８の下面１８ａに沿って、隙間６４へ空気を流入させるために通気孔６０を開放する開位置と、隙間６４への空気の流入を遮断するために通気孔６０を閉塞する閉位置との間をスライドするスライド弁３０とを有する。スライド弁３０が閉位置にある状態で、スタンド６に載置面１６ａから離れる方向の外力が加えられた際に、吸着部材２４は、載置面１６ａから離れる方向に弾性変形することにより隙間６４に負圧を発生させる。
【００６５】
これによれば、スライド弁３０は、ベース１８の下面１８ａに沿って開位置と閉位置との間をスライドするので、吸着部材２４の通気孔６０を開閉させるための弁機構の厚み（Ｚ軸方向における大きさ）を抑制することができる。その結果、スタンド６の薄型化を図ることができる。
【００６６】
また、本実施の形態において、スタンド６は、さらに、スライド弁３０と吸着部材２４との間に配置され、滑り性を有する滑りシート２８を有する。スライド弁３０は、滑りシート２８上を摺動しながら、開位置と閉位置との間をスライドする。
【００６７】
これによれば、スライド弁３０と滑りシート２８との摩擦を低減することができ、スライド弁３０を開位置と閉位置との間でスムーズにスライドさせることができる。
【００６８】
また、本実施の形態において、スライド弁３０は、電子機器２の奥行き方向に沿って、開位置と閉位置との間をスライドする弁本体７３と、弁本体７３の奥行き方向の奥側における端部７３ｂに設けられ、弁本体７３をスライド操作するための取っ手７４とを有する。
【００６９】
これによれば、電子機器２の奥行き方向の手前側から見て、取っ手７４を目立ちにくくすることができる。その結果、電子機器２のデザイン性を高めることができる。
【００７０】
また、本実施の形態において、ベース１８は、当該ベース１８の奥行き方向の奥側における端部１８ｃに形成され、取っ手７４を奥行き方向に移動可能に挿通する挿通孔３２を有する。
【００７１】
これによれば、ベース１８を利用して、取っ手７４をコンパクトに配置することができる。
【００７２】
また、本実施の形態において、弁本体７３が閉位置にある際に、弁本体７３の奥行き方向の手前側における端部７３ａは、ベース１８の奥行き方向の手前側における端部１８ｄに露出するように配置される。
【００７３】
これによれば、ユーザが弁本体７３の奥行き方向の手前側における端部７３ａを押し込むことにより、弁本体７３を閉位置から開位置に容易にスライド操作することができる。
【００７４】
また、本実施の形態において、弁本体７３は、開口部７２を有する。開口部７２は、弁本体７３が開位置にある際には、通気孔６０と連通し、弁本体７３が閉位置にある際には、通気孔６０と連通しない。
【００７５】
これによれば、スライド弁３０の構成を簡素化することができる。
【００７６】
また、本実施の形態において、ベース１８の下面１８ａには、弁本体７３が開位置にある状態で、開口部７２及び通気孔６０を通して隙間６４へ流入する空気の流路となる凹部３４が形成されている。
【００７７】
これによれば、ベース１８の凹部３４を空気の流路として機能させることにより、空気を隙間６４へ効率良く流入させることができる。
【００７８】
また、本実施の形態において、スタンド６は、さらに、スライド弁３０のスライド操作に節度感を付与するための係合機構５０を有する。
【００７９】
これによれば、ユーザは、スライド弁３０をスライド操作する際に、節度感を感じることにより、スライド弁３０を閉位置から開位置に（又は開位置から閉位置に）スライド操作させたという直感的な感覚を得ることができる。
【００８０】
また、本実施の形態において、電子機器２は、画像表示装置である。機器本体４は、画像を表示するための表示パネル８を含む。
【００８１】
これによれば、画像表示のスタンド６の薄型化を図ることができる。
【００８２】
また、本実施の形態において、スタンド６は、載置面１６ａに載置され、機器本体４を支持するためのスタンドである。スタンド６は、載置面１６ａに対向する下面１８ａを有するベース１８と、ベース１８の下面１８ａに対向して配置された弾性を有する吸着部材２４であって、載置面１６ａとの間の隙間６４に発生した負圧により載置面１６ａに吸着する吸着面５４ａを有し、隙間６４と連通する通気孔６０が形成された吸着部材２４と、ベース１８と吸着部材２４との間に配置され、ベース１８の下面１８ａに沿って、隙間６４へ空気を流入させるために通気孔６０を開放する開位置と、隙間６４への空気の流入を遮断するために通気孔６０を閉塞する閉位置との間をスライドするスライド弁３０とを備える。スライド弁３０が閉位置にある状態で、スタンド６に載置面１６ａから離れる方向の外力が加えられた際に、吸着部材２４は、載置面１６ａから離れる方向に弾性変形することにより隙間６４に負圧を発生させる。
【００８３】
これによれば、スライド弁３０は、ベース１８の下面１８ａに沿って開位置と閉位置との間をスライドするので、吸着部材２４の通気孔６０を開閉させるための弁機構の厚みを抑制することができる。その結果、スタンド６の薄型化を図ることができる。
【００８４】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００８５】
そこで、以下、他の実施の形態を例示する。
【００８６】
上記実施の形態では、電子機器２が液晶テレビジョン受像機である場合について説明したが、これに限定されない。電子機器２は、例えばパーソナルコンピュータ用の液晶ディスプレイ又は有機ＥＬ（Ｅｌｅｃｔｒｏ  Ｌｕｍｉｎｅｓｃｅｎｃｅ）ディスプレイ等の種々の画像表示装置であってもよい。あるいは、電子機器２は、例えばスピーカ、扇風機、電気ヒータ、又は照明器具（電気スタンド）等の種々の機器であってもよい。
【００８７】
上記実施の形態では、吸着部材２４をＸＹ平面視で円形状に形成したが、これに限定されず、例えばＸＹ平面視で多角形状又は楕円形状等に形成してもよい。
【００８８】
上記実施の形態では、ベース１８に取っ手７４を挿通するための挿通孔３２を形成したが、これに限定されず、例えばベース１８の外周縁に形成された切り欠き部に取っ手７４を挿通してもよい。
【００８９】
上記実施の形態では、弁本体７３が閉位置にある際に、弁本体７３の奥行き方向の手前側における端部７３ａを、ベース１８の奥行き方向の手前側における端部１８ｄに露出するように配置したが、これに限定されない。弁本体７３が開位置にある状態で、弁本体７３の端部７３ａをベース１８の端部１８ｄに露出するように配置してもよい。
【００９０】
以上のように、本開示における技術の例示として、実施の形態を説明した。そのために、添付図面及び詳細な説明を提供した。
【００９１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９２】
また、上述の実施の形態は、本開示における技術を例示するためのものであるから、請求の範囲又はその均等の範囲において種々の変更、置き換え、付加、省略などを行うことができる。
【産業上の利用可能性】
【００９３】
本開示は、スタンドを備えた電子機器に適用可能である。具体的には、例えば液晶テレビジョン受像機等の画像表示装置に、本開示は適用可能である。
【符号の説明】
【００９４】
２  電子機器
４  機器本体
６  スタンド
８  表示パネル
８ａ  表示面
１０  筐体
１２  フロントキャビネット
１４  リアキャビネット
１６  載置台
１６ａ  載置面
１８  ベース
１８ａ，２２ａ  下面
１８ｂ，２２ｂ  上面
１８ｃ，１８ｄ，７３ａ，７３ｂ  端部
２０  スタンドネック
２２  保持カバー
２４  吸着部材
２６  ホルダー
２８  滑りシート
３０  スライド弁
３２  挿通孔
３４  凹部
３６  支柱部
３８  ブラケット
４０，７０，７２  開口部
４２  ゴム足
４４，６３  溝部
４６  ストッパ
４８  突部
５０  係合機構
５２  取付部
５４  吸着部
５４ａ  吸着面
５６  ネジ
５８，６６  孔
６０，６８  通気孔
６２  空気流入口
６４  隙間
７３  弁本体
７４  取っ手
７６  係合部
７８  リブ
【図１】
2021014664.tif 000003
【図２】
2021014664.tif 000004
【図３】
2021014664.tif 000005
【図４】
2021014664.tif 000006
【図５Ａ】
2021014664.tif 000007
【図５Ｂ】
2021014664.tif 000008
【図６Ａ】
2021014664.tif 000009
【図６Ｂ】
2021014664.tif 000010
【図７】
2021014664.tif 000011
【図８Ａ】
2021014664.tif 000012
【図８Ｂ】
2021014664.tif 000013
【国際調査報告】
2021014664.tif 000014
2021014664.tif 000015
2021014664.tif 000016
2021014664.tif 000017